(57)【要約】      （修正有）【課題】高容量化・高速化した圧縮機にも対応できる防音カバーを提供する。【解決手段】外部機器に接続するための接続端子部を具備する圧縮機に用いられる防音カバー１であって、前記圧縮機の側周面を覆うものであり、前記接続端子部を嵌入する開口が設けられた胴体部２を具備し、前記開口に前記接続端子部を嵌入した状態で、前記開口を形成する開口端部が、前記接続端子部を締め付けることを特徴とする防音カバー。【選択図】図１
2016121623.tif 000002
【特許請求の範囲】
【請求項１】
外部機器に接続するための接続端子部を具備する圧縮機に用いられる防音カバーであって、
前記圧縮機の側周面を覆うものであり、前記接続端子部を嵌入する開口が設けられた胴体部を具備し、
前記開口に前記接続端子部を嵌入した状態で、前記開口を形成する開口端部が、前記接続端子部を締め付けることを特徴とする防音カバー。
【請求項２】
前記開口の周囲に設けられ、前記開口に前記接続端子部を嵌入した状態で、前記胴体部及び前記圧縮機に接触する接触部をさらに具備することを特徴とする請求項１記載の防音カバー。
【請求項３】
前記接触部が、防音材で構成されていることを特徴とする請求項２記載の防音カバー。
【請求項４】
前記胴体部が、前記開口の周囲に設けたスリットをさらに具備することを特徴とする請求項１、２又は３記載の防音カバー。
【請求項５】
前記胴体部の上端を塞ぐ蓋部をさらに具備し、
前記蓋部が、前記開口に嵌入した前記接続端子部を覆う接続端子用被覆部を具備することを特徴とする請求項１、２、３又は４記載の防音カバー。
【発明の詳細な説明】
【技術分野】
【０００１】
この発明は、圧縮機に用いられる防音カバーに関するものである。
【背景技術】
【０００２】
空気調和機等に用いられる圧縮機の騒音等を防止するため、例えば特許文献１に記載された防音カバーがある。
【０００３】
この防音カバーは、圧縮機の側面を覆う筒状の側面防音カバーと、前記側面防音カバーの上端開口を塞ぐ笠状の天面防音カバーとを具備するものであって、天面防音カバーと圧縮機の配管とが接触する部分以外は、天面防音カバー及び側面防音カバーと圧縮機とは離間して配置されている。そして、天面防音カバー及び側面防音カバーによって圧縮機の騒音が外部に漏れることを防止している。
【先行技術文献】
【特許文献】
【０００４】
【特許文献１】特開２０１４−１１８９０５号公報
【発明の概要】
【発明が解決しようとする課題】
【０００５】
上述の圧縮機の騒音の原因は２種類あり、１つは圧縮機自体の振動によって生じる騒音、もう１つは圧縮機からの振動が伝播することによって、その周囲にある物体が共振して生じる騒音である。
ところで、近年の空気調和機の省エネ化に伴い、圧縮機の高容量化及び高速化が望まれているが、このように圧縮機を高容量化・高速化することによって、圧縮機自体の振動が大きくなるとともに、圧縮機から伝播する振動も大きくなり、騒音が悪化してしまう。
しかしながら、上述した従来の防音カバーでは、圧縮機と防音カバーが配管と接触する部分以外は離間しているので、圧縮機自体の振動を低減することができず、高容量化・高速化した圧縮機に生じる騒音を低減するにも限界があるという問題がある。
【０００６】
本発明は、上記問題を鑑みてなされたものであり、高容量化・高速化した圧縮機にも対応できる防音カバーを提供することを、その主たる目的とするものである。
【課題を解決するための手段】
【０００７】
本発明の防音カバーは、外部機器に接続するための接続端子部を具備する圧縮機に用いられる防音カバーであって、前記圧縮機の側周面を覆うものであり、前記接続端子部を嵌入する開口が設けられた胴体部を具備し、前記開口に前記接続端子部を嵌入した状態で、前記開口を形成する開口端部が、前記接続端子部を締め付けることを特徴とする。
【０００８】
圧縮機自体の振動から生じる音のうち、騒音となる高周波域（１ｋＨｚ〜４ｋＨｚ）の音が生じる部分は、外部機器に接続するための接続端子部であることを発見した。本願発明はこの知見に基づいてなされたものであって、開口に接続端子部が嵌入した状態で、開口を形成する開口端部が接続端子部を締め付けるので、開口端部が接続端子部の振動を抑えて、接続端子部の振動を低減することができる。また、開口端部が接続端子部に接触して振動を抑えるので、接続端子部の振動が周囲に伝播することを防ぐこともできる。そのため、接続端子部の振動や接続端子部の振動が周囲に伝播することを抑えて、ひいては、圧縮機の振動や圧縮機の振動が周囲に伝播することを抑えることができるので、高容量化や高速化した圧縮機であっても、騒音（特に高周波域の音）を防止することができる。
【０００９】
また、胴体部に設けた開口に接続端子部を嵌入するので、胴体部と圧縮機との位置決めを容易に行うことができ、圧縮機と胴体部との位置精度を向上させて、圧縮機の音が胴体部から漏れることを低減することもできる。
【００１０】
本発明の防音カバーの具体的な一態様としては、前記開口の周囲に設けられ、前記開口に前記接続端子部を嵌入した状態で、前記胴体部及び前記圧縮機に接触する接触部をさらに具備するものを挙げることができる。
【００１１】
このようなものであれば、接触部が圧縮機と胴体部との間に接触して配置されるので、圧縮機と胴体部とを確実に離間して配置することができる。そのため、圧縮機と胴体部との間に空間を設けて、圧縮機から生じる振動や音を減衰させることができるので、圧縮機からの振動が周囲に伝播することをさらに防ぐことができる。
【００１２】
本発明の防音カバーの別の具体的な一態様としては、前記接触部が、防音材で構成されているものを挙げることができる。
【００１３】
このようなものであれば、接触部が接続端子部の振動によって生じる音を低減することができるので、さらに防音効果を高めることができる。
【００１４】
本発明の防音カバーの別の具体的な一態様としては、前記胴体部が、前記開口の周囲に設けたスリットをさらに具備するものを挙げることができる。
【００１５】
このようなものであれば、接続端子部の振動が、接続端子部と接触する胴体部の開口端部を伝って胴体部全体に伝播することを防ぐことができる。そのため、接続端子部の振動が周囲に伝播することをより効果的に防ぐことができる。
【００１６】
本発明の防音カバーの別の具体的な一態様としては、前記胴体部の上端を塞ぐ蓋部をさらに具備し、前記蓋部が、前記開口に嵌入した前記接続端子部を覆う接続端子用被覆部を具備するものを挙げることができる。
【００１７】
このようなものであれば、蓋部に開口に嵌入した接続端子部を覆う接続端子用被覆部を設けたので、この蓋部を取り外せば接続端子用被覆部も取り外すこととなり、開口に嵌入された接続端子部が露出する。そのため、胴体部を取り外さなくても容易にメンテナンスを行うことができる。
【発明の効果】
【００１８】
本発明によれば、圧縮機自体の振動によって生じる騒音、圧縮機からの振動が伝播することによって生じる騒音の両方を防ぐことができるので、高容量化・高速化した圧縮機であっても効果的に防音を行うことができる。
【図面の簡単な説明】
【００１９】
【図１】本実施形態における防音カバーを示す斜視図。
【図２】本実施形態における胴体部及び足部を示す斜視図。
【図３】本実施形態における蓋部を示す斜視図。
【図４】本実施形態における胴体部の展開図。
【図５】本実施形態におけるＡＡ部分の断面図。
【発明を実施するための形態】
【００２０】
以下に本発明に係る防音カバーの一実施形態について説明する。
【００２１】
本実施形態に係る防音カバー１は、空気調和機等に用いられる圧縮機１００用の防音カバー１であって、圧縮機１００全体を覆うものである。そして、図１に示すように、圧縮機１００の側周面を囲う胴体部２と、胴体部２の上端を塞ぐ蓋部３と、胴体部２の下端部に取り付けられて防音カバー１を支える足部４とを備える。
【００２２】
圧縮機１００は、例えば流入した気相冷媒を圧縮するものであって、例えばアキュムレータや圧縮機１００本体を収容する圧縮機用ケーシング、この圧縮機用ケーシングに挿通された冷媒を吸入する又は吐出する複数の配管１０１、圧縮機１００を例えば電源等の外部機器に接続する接続端子部１０２を具備するものである。この接続端子部１０２は、圧縮機用ケーシングから延出する接続端子と、接続端子を収容する略直方体形状をなす接続端子用容器と、接続端子用容器と圧縮機用ケーシングとを連結する連結部分とを具備する。
【００２３】
胴体部２は、図１及び図２に示すように、圧縮機１００の側周面を囲うものであって、展開すると、図４に示すように略矩形状をなし、その両端には、面ファスナー等が設けられている。
【００２４】
また、胴体部２には、圧縮機１００の配管１０１を通すための配管用孔５や切り欠き６、圧縮機１００の接続端子部１０２を嵌入する開口８、開口８を囲む位置にスリット７（７ａ、７ｂ、７ｃ、７ｄ）が設けられている。
開口８は、開口端部９（９ａ、９ｂ、９ｃ、９ｄ）によって形成されるものであって、上方に形成される開口端部９ａ及び側方に形成される開口端部９ｃ、９ｄは直線状をなし、下方に形成される開口端部９ｂは直線状の一部に凹み部分を具備している。この開口端部９ｂの凹み部分は、接続端子部１０２の連結部分を逃がすためのものである。凹み部分を除いて開口端部９ａ、９ｂ、９ｃ、９ｄが形成する開口８の大きさは、接続端子部１０２の大きさよりもわずかに小さくなるように設けられている。
スリット７（７ａ、７ｂ、７ｃ、７ｄ）は、開口８を形成する開口端部９（９ａ、９ｂ、９ｃ、９ｄ）にそれぞれ平行に設けられた長片形状をなすものである。なお、本実施形態では、上側に形成されたスリット７ａの上方、下側に形成されたスリット７ｂの下方、切り欠き６の周囲に、胴体部２を蓋部３に接続するための第１接続部１３が設けられている。この第１接続部１３は、例えば面ファスナー等で構成されている。
【００２５】
そして、図４及び図５にしめすように、開口８に接続端子を嵌入した状態で、胴体部２及び圧縮機１００に接触する接触部１０が設けられている。この接触部１０は、開口８の上端縁を形成する開口端部９ａとスリット７ａとの間に設けられ、胴体部２の内面から突出するものである。この接触部１０は、例えばフェルト等の防音材から構成することができる。
【００２６】
蓋部３は、図１及び図３に示すように、胴体部２の上端を塞ぐものであって、胴体部２の切り欠き６から延出する配管１０１を覆う配管用被覆部１１、及び、胴体部２の開口８から突出する接続端子用容器を覆う接続端子用被覆部１２を具備するものである。また、配管用被覆部１１及び接続端子用被覆部１２の内面には、胴体部２に設けられた第１接続部１３に対応する位置に、蓋部３を胴体部２に接続するための第２接続部１４が設けられている。この第２接続部１４は、例えば面ファスナー等で構成されている。
【００２７】
足部４は、図１及び図２に示すように、圧縮機１００の下端部を囲うように胴体部２の下方に接続されるものであって、本実施形態では４本の支柱で胴体部２を支えるものである。
【００２８】
上述のように構成した防音カバー１の取り付け方法を以下に説明する。
【００２９】
まず、足部４を圧縮機１００の下端部を囲うように、圧縮機１００に巻いて取り付ける。
【００３０】
次に、圧縮機１００の接続端子部１０２を胴体部２の開口８に嵌入する。このとき、凹み部分を除いて開口端部９ａ、９ｂ、９ｃ、９ｄが形成する開口８の大きさが接続端子部１０２よりもわずかに小さくなるように設けられているので、凹み部分を除いた開口端部９ａ、９ｂ、９ｃ、９ｄが、接続端子部１０２を締め付ける。また、胴体部２の内面には胴体部２から突出する接触部１０が設けられているので、この接触部１０が圧縮機１００と接触すると、胴体部２と圧縮機１００とが離間して配置される。
そして、開口８に接続端子部１０２を嵌入した状態で、胴体部２を圧縮機１００に巻いて胴体部２の両端に設けられた面テープで固定する。そうすると、胴体部２に設けられた切り欠き６や配管用孔５から圧縮機１００の配管１０１が延出する。
【００３１】
最後に、胴体部２の上端を塞ぐように蓋部３を取り付ける。このとき、蓋部３の配管用被覆部１１及び接続端子用被覆部１２の内面に設けられた第２接続部１４が、胴体部２に設けられた第１接続部１３に接着されて、配管用被覆部１１及び接続端子用被覆部１２が胴体部２に固定される。
【００３２】
上述のように構成した防音カバー１を以下のような格別の効果を有する。
【００３３】
つまり、接続端子部１０２を開口８に嵌入した状態で、凹み部分を除いた開口端部９（９ａ、９ｂ、９ｃ、９ｄ）が接続端Ｆ子部１０２を締め付けるので、開口端部９（９ａ、９ｂ、９ｃ、９ｄ）が接続端子部１０２の振動を抑えて、接続端子部１０２の振動を低減することができる。また、凹み部分を除いた開口端部９（９ａ、９ｂ、９ｃ、９ｄ）が、接続端子部１０２に接触して振動を抑えるので、接続端子部１０２の振動が周囲に伝播することを防ぐこともできる。そのため、接続端子部１０２の振動や接続端子部１０２の振動が周囲に伝播することを抑えて、ひいては、圧縮機１００の振動や圧縮機１００の振動が周囲に伝播することを抑えることができる。また、圧縮機１００自体の振動から生じる音のうち、騒音となる高周波域（１ｋＨｚ〜４ｋＨｚ）の音は、接続端子部１０２から発生するので、特に接続端子部１０２から発生する高周波域の音を防止することができる。
また、胴体部２に設けた開口８に接続端子部１０２を嵌入するので、胴体部２と圧縮機１００との位置決めを容易に行うことができ、圧縮機１００と胴体部２との位置精度を向上させて、圧縮機１００の騒音が胴体部２から漏れることを低減することもできる。
【００３４】
開口８に接続端子部１０２を嵌入した状態で、胴体部２及び圧縮機１００に接触する接触部１０をさらに具備するので、この接触部１０によって圧縮機用ケーシング（圧縮機１００）と胴体部２とが離間して配置される。そのため、圧縮機１００と胴体部２との間に空間を設けて、圧縮機１００から生じる振動や音を減衰させることができるので、圧縮機１００からの振動が周囲に伝播することをさらに防ぐことができる。
【００３５】
接触部１０を防音材で構成しているので、圧縮機１００の振動によって生じる騒音を接触部１０で効果的に低減することができ、さらに防音効果を高めることができる。
【００３６】
胴体部２が、開口８の周囲に設けたスリット７をさらに具備するので、接続端子部１０２の振動が、接続端子部１０２と接触する胴体部２の開口端部９を伝って胴体部２全体に伝播することを防ぐことができる。そのため、接続端子部１０２の振動が周囲に伝播することをより効果的に防ぐことができる。
【００３７】
蓋部３に接続端子部１０２を覆う接続端子用被覆部１２を設けたので、この蓋部３を取り外せば接続端子用被覆部１２も取り外すこととなり、開口８に嵌入された接続端子部１０２が露出する。そのため、胴体部３を取り外さなくても容易にメンテナンスを行うことができる。
【００３８】
胴体部２に第１接続部１３を設けるとともに蓋部３に第２接続部１４を設け、これらを接着して、胴体部２に対して蓋部３を位置決めするので、圧縮機１００の振動によって蓋部３が胴体部２から外れることを防ぐことができ、蓋部３と胴体部２との隙間から音が漏れることを防止することができる。
【００３９】
なお、本発明は上記実施形態に限られたものではない。
【００４０】
胴体部の開口端部が接続端子部を締め付ける構成としては、上記実施形態では、接続端子部の一部分を締め付けるものであったが、接続端子部全体を締め付けるような構成であってもよい。
【００４１】
また、上記実施形態では、接触部が１箇所にしか設けられていなかったが、これを複数設けてもよい。接触部が増加すれば、胴体部と圧縮機とをより確実に離間することができる。
【００４２】
なお、本発明は、その趣旨に逸脱しない範囲で種々の変形が可能である。
【符号の説明】
【００４３】
１・・・防音カバー
２・・・胴体部
８・・・開口
９・・・開口端部
１００・・・圧縮機
１０２・・・接続端子部
【図１】
2016121623.tif 000003
【図２】
2016121623.tif 000004
【図３】
2016121623.tif 000005
【図４】
2016121623.tif 000006
【図５】
2016121623.tif 000007